(57)【要約】【課題】通過帯域又は阻止帯域を切替え可能な高周波フィルタの部品点数を削減して小型化を図ること。【解決手段】帯域可変フィルタにおいて、入力端子１と出力端子２との間に第１〜第３のコンデンサＣ１〜Ｃ３が直列に接続され、第１、第２のコンデンサＣ１、Ｃ２の接続点とグラウンドとの間に第１のインダクタＬ１、第４のコンデンサＣ４が直列に接続され、第４のコンデンサＣ４と第１のインダクタＬ１との間に第１のダイオードＤ１が接続される。第２、第３のコンデンサＣ２、Ｃ３の接続点とグラウンドとの間に第２のインダクタＬ２、第５のコンデンサＣ５が直列に接続され、第５のコンデンサＣ５と第２のインダクタＬ２との間に第２のダイオードＤ２が接続される。第１、第２のインダクタＬ１，Ｌ２の他端とグラウンドとの間に第３のインダクタＬ３が接続され、第３のインダクタＬ３と並列に第８のコンデンサＣ８及び第３のダイオードＤ３が接続される。【選択図】図１
2008227729.tif 000002
【特許請求の範囲】
【請求項１】
入力端子に一端が接続された第１のコンデンサと、
前記第１のコンデンサの他端に一端が接続された第２のコンデンサと、
前記第２のコンデンサの他端と出力端子との間に接続された第３のコンデンサと、
前記第１のコンデンサと前記第２のコンデンサとの接続点に一端が接続された第１のインダクタと、
前記第１のインダクタとグラウンドとの間に接続される第４のコンデンサと、
前記第４のコンデンサを前記第１のインダクタの一端に対して接続し又は非接続とする第１のスイッチと、
前記第２のコンデンサと前記第３のコンデンサとの接続点に一端が接続された第２のインダクタと、
前記第２のインダクタとグラウンドとの間に接続される第５のコンデンサと、
前記第５のコンデンサを前記第２のインダクタの一端に対して接続し又は非接続とする第２のスイッチと、
前記第１のインダクタの他端及び前記第２のインダクタの他端とグラウンドとの間に接続される第３のインダクタと、
前記第３のインダクタと並列に接続され、前記第３のインダクタの両端を高周波的に短絡する第３のスイッチと、を備え、
前記第１及び第２のスイッチをオンにすると共に前記第３のスイッチをオフにして、帯域通過フィルタを形成し、前記第１及び第２のスイッチをオフにすると共に前記第３のスイッチをオンにして、前記帯域通過フィルタよりも通過帯域が高い高域通過フィルタを形成する帯域可変フィルタ。
【請求項２】
前記第１及び第２のコンデンサの接続点と前記第１のインダクタの一端との間に接続された第６のコンデンサと、
前記第２及び第３のコンデンサの接続点と前記第２のインダクタの一端との間に接続された第７のコンデンサと、を備え、
前記第１及び第２のスイッチをオンにすると共に前記第３のスイッチをオフにして、帯域通過フィルタを形成した際に、当該帯域通過フィルタの通過帯域よりも低い周波数に減衰極のあるトラップ回路が形成され、
前記第１及び第２のスイッチをオフにすると共に前記第３のスイッチをオンにして、前記帯域通過フィルタよりも通過帯域が高い高域通過フィルタを形成した際に、当該高域通過フィルタの通過帯域よりも低い周波数に減衰極のあるトラップ回路が形成される、
ことを特徴とする請求項１記載の帯域可変フィルタ。
【請求項３】
前記第１及び第２のスイッチはそれぞれダイオードからなる第１及び第２のスイッチダイオードで構成され、
前記第１のスイッチダイオードは、そのアノードに前記第４のコンデンサが接続され、そのカソードに前記第１のインダクタの一端が接続され、
前記第２のスイッチダイオードは、そのアノードに前記第５のコンデンサが接続され、そのカソードに前記第２のインダクタの一端が接続され、
前記第１及び第２のスイッチダイオードのアノードに制御電圧が印加されることを特徴とする請求項１又は請求項２記載の帯域可変フィルタ。
【請求項４】
前記第３のスイッチは、ダイオードからなる第３のスイッチダイオードと、当該第３のスイッチダイオードのアノードに一端が接続された直流カット用の第８のコンデンサとで構成され、
前記第３のスイッチダイオードは、そのカソードに前記第１、第２、第３のインダクタの接続点が接続され、
前記第８のコンデンサの一端がグラウンドに接続され、
前記第３のスイッチダイオードのアノードに制御電圧が印加されることを特徴とする請求項１から請求項３の何れかに記載の帯域可変フィルタ。
【請求項５】
前記第１及び第２のスイッチをオンにすると共に前記第３のスイッチをオフにした場合の通過帯域がＶＨＦ放送帯域であり、
前記第１及び第２のスイッチをオフにすると共に前記第３のスイッチをオンにした場合の通過帯域がＵＨＦ帯以上であることを特徴とする請求項１から請求項４の何れかに記載の帯域可変フィルタ。
【発明の詳細な説明】
【技術分野】
【０００１】
本発明は、通過帯域又は阻止帯域を切替え可能な帯域可変フィルタに関する。
【背景技術】
【０００２】
従来、複数のフィルタを並列に設けて少なくとも一方のフィルタをオン／オフさせるように構成し、通過帯域（又は阻止帯域）を切替えるようにしたフィルタがある（例えば、特許文献１参照）。図８に示す高周波フィルタは、高周波高域通過フィルタ（又は高周波帯域通過フィルタ）１０３と高周波低域通過フィルタ１０４とを並列に設け、高周波高域通過フィルタ１０３の入力部と高周波低域通過フィルタ１０４の入力部とを接続して入力端子１０１とし、高周波高域通過フィルタ１０３の出力端子と高周波低域通過フィルタ１０４の出力部とを接続して出力端子１０２としている。また、高周波高域通過フィルタ１０３の通過帯域を阻止帯域にするため、高周波高域通過フィルタ１０３の前段にスイッチ回路１０５を設けている。
【特許文献１】特開２００２−２０４１３５号公報
【発明の開示】
【発明が解決しようとする課題】
【０００３】
しかしながら、複数のフィルタを並列に設けて、少なくとも一方をスイッチでオン／オフさせる構成では、部品点数が増大して小型化が困難であるといった問題がある。
【０００４】
本発明は、かかる点に鑑みてなされたものであり、少ない部品点数で通過帯域又は阻止帯域を切替え可能で、小型化が容易な帯域可変フィルタを提供することを目的とする。
【課題を解決するための手段】
【０００５】
本発明の帯域可変フィルタは、入力端子に一端が接続された第１のコンデンサと、前記第１のコンデンサの他端に一端が接続された第２のコンデンサと、前記第２のコンデンサの他端と出力端子との間に接続された第３のコンデンサと、前記第１のコンデンサと前記第２のコンデンサとの接続点に一端が接続された第１のインダクタと、前記第１のインダクタとグラウンドとの間に接続される第４のコンデンサと、前記第４のコンデンサを前記第１のインダクタの一端に対して接続し又は非接続とする第１のスイッチと、前記第２のコンデンサと前記第３のコンデンサとの接続点に一端が接続された第２のインダクタと、前記第２のインダクタとグラウンドとの間に接続される第５のコンデンサと、前記第５のコンデンサを前記第２のインダクタの一端に対して接続し又は非接続とする第２のスイッチと、前記第１のインダクタの他端及び前記第２のインダクタの他端とグラウンドとの間に接続される第３のインダクタと、前記第３のインダクタと並列に接続され、前記第３のインダクタの両端を高周波的に短絡する第３のスイッチとを備え、前記第１及び第２のスイッチをオンにすると共に前記第３のスイッチをオフにして、帯域通過フィルタを形成し、前記第１及び第２のスイッチをオフにすると共に前記第３のスイッチをオンにして、前記帯域通過フィルタよりも通過帯域が高い高域通過フィルタを形成するとしたことを特徴とする。
【０００６】
この構成によれば、テレビジョンチューナのＶＨＦ放送帯域及びＵＨＦ放送帯域を選択可能な高周波フィルタを簡単な構成で実現することができる。例えば、ＶＨＦ放送帯域選択時にはＦＭ帯域及びＵＨＦ放送帯域の両方を減衰させる帯域通過型フィルタと、ＵＨＦ放送帯域選択時にはＦＭ帯域及ぶＶＨＦ放送帯域を減衰させる高域通過型フィルタとを、第１から第３のスイッチである３つのダイオードで切替えることができ、部品点数の削減が可能になる。
【０００７】
また本発明は、上記帯域可変フィルタにおいて、前記第１及び第２のコンデンサの接続点と前記第１のインダクタの一端との間に接続された第６のコンデンサと、前記第２及び第３のコンデンサの接続点と前記第２のインダクタの一端との間に接続された第７のコンデンサとを備え、前記第１及び第２のスイッチをオンにすると共に前記第３のスイッチをオフにして、帯域通過フィルタを形成した際に、当該帯域通過フィルタの通過帯域よりも低い周波数に減衰極のあるトラップ回路が形成され、前記第１及び第２のスイッチをオフにすると共に前記第３のスイッチをオンにして、前記帯域通過フィルタよりも通過帯域が高い高域通過フィルタを形成した際に、当該高域通過フィルタの通過帯域よりも低い周波数に減衰極のあるトラップ回路が形成されることを特徴とする。
【０００８】
この構成により、第１及び第２のスイッチをオンにすると共に第３のスイッチをオフにしてＶＨＦ放送帯域の帯域通過フィルタを形成した際に、例えばＦＭラジオ放送帯域で第１及び第３のコンデンサを除く回路を直列共振させることができ、ＦＭラジオ放送帯域にトラップを形成できる。また、第１及び第２のスイッチをオフにすると共に第３のスイッチをオンにしてＵＨＦ放送帯域の高域通過フィルタを形成した際に、例えば特定小電力無線の３２２ＭＨｚ、アナログコードレス電話親機の３３０ＭＨｚにトラップを形成できる。
【０００９】
また本発明は、上記帯域可変フィルタにおいて、前記第１及び第２のスイッチはそれぞれダイオードからなる第１及び第２のスイッチダイオードで構成され、前記第１のスイッチダイオードは、そのアノードに前記第４のコンデンサが接続され、そのカソードに前記第１のインダクタの一端が接続され、前記第２のスイッチダイオードは、そのアノードに前記第５のコンデンサが接続され、そのカソードに前記第２のインダクタの一端が接続され、前記第１及び第２のスイッチダイオードのアノードに制御電圧が印加されることを特徴とする。
【００１０】
この構成により、第１、第２のスイッチダイオードの制御電圧は第１（第２）のインダクタと第３のインダクタを伝ってグラウンドに流れ、第１、第２のスイッチダイオードのアノードは第４（第５）のコンデンサにより直流的にグラウンドから切り離されているので、第１、第２のスイッチダイオードの制御用に直流カットコンデンサやチョーク（交流カット）インダクタが不要となり、部品点数の削減と小型化を図ることができる。
【００１１】
また本発明は、上記帯域可変フィルタにおいて、前記第３のスイッチは、ダイオードからなる第３のスイッチダイオードと、当該第３のスイッチダイオードのアノードに一端が接続された直流カット用の第８のコンデンサとで構成され、前記第３のスイッチダイオードは、そのカソードに前記第１、第２、第３のインダクタの接続点が接続され、前記第８のコンデンサの一端がグラウンドに接続され、前記第３のスイッチダイオードのアノードに制御電圧が印加されることを特徴とする。
【００１２】
この構成により、第３のスイッチダイオードがオフの場合には、第３のスイッチダイオードのアノードを制御して帯域通過フィルタと高域通過フィルタとを切替える制御回路が、当該帯域可変フィルタから切り離され、第３のスイッチダイオードがオンの場合には、第３のスイッチダイオードのアノードが高周波的に接地されるので、当該帯域可変フィルタが制御回路から影響を受けることを防止できる。
【００１３】
また本発明は、上記帯域可変フィルタにおいて、前記第１及び第２のスイッチをオンにすると共に前記第３のスイッチをオフにした場合の通過帯域がＶＨＦ放送帯域であり、前記第１及び第２のスイッチをオフにすると共に前記第３のスイッチをオンにした場合の通過帯域がＵＨＦ帯以上であることを特徴とする。
【００１４】
この構成により、ＶＨＦ放送帯域は高域側及び低域側に妨害波（ＦＭラジオ放送波とＵＨＦ放送帯域の放送波）が存在するので、ＶＨＦ放送帯域の帯域通過フィルタとすることで妨害波を減衰させることができる。また、ＵＨＦ放送帯域は低域側に妨害波（ＶＨＦ放送帯域の放送波）があり、帯域も広いので、ＵＨＦ放送帯域以上の高域通過フィルタとすることで妨害波を減衰させることができる。
【発明の効果】
【００１５】
本発明によれば、通過帯域又は阻止帯域を切替え可能な高周波フィルタの部品点数を削減して小型化を図ることができる。
【発明を実施するための最良の形態】
【００１６】
以下、本発明の帯域可変フィルタを、ＶＨＦ放送帯域及びＵＨＦ放送帯域を選択可能なテレビジョンチューナの高周波フィルタに適用した一実施の形態について添付図面を参照して詳細に説明する。
【００１７】
図１は本実施の形態に係る帯域可変フィルタの回路構成図である。同図に示す帯域可変フィルタは、入力端子１に対してアンテナ側から高周波信号が導入され、出力端子２から当該フィルタで抽出した所望帯域の高周波信号が出力される。この入力端子１と出力端子２との間に第１、第２、第３のコンデンサＣ１，Ｃ２，Ｃ３が直列に接続されている。第１のコンデンサＣ１と第２のコンデンサＣ２との接続点に第１のインダクタＬ１の一端が接続されている。第１のインダクタＬ１の一端とグラウンドとの間に第４のコンデンサＣ４が接続され、当該第４のコンデンサＣ４と第１のインダクタＬ１の一端との間に第１のＰＩＮダイオードＤ１が接続されている。また、第２のインダクタＬ２の一端とグラウンドとの間に第５のコンデンサＣ５が接続され、当該第５のコンデンサＣ５と第２のインダクタＬ１の一端との間に第２のＰＩＮダイオードＤ２が接続されている。
【００１８】
本実施の形態では、第１のコンデンサＣ１と第２のコンデンサＣ２の接続点と第１のインダクタＬ１の一端との間に第６のコンデンサＣ６が接続され、第２のコンデンサＣ２と第３のコンデンサＣ３の接続点と第２のインダクタＬ２の一端との間に第７のコンデンサＣ７接続されている。
【００１９】
また、第１及び第２のインダクタＬ１，Ｌ２の他端が第３のインダクタＬ３の一端に接続され、第３のインダクタＬ３の他端がグラウンドに接続されている。第３のインダクタＬ３と並列に直流カット用の第８のコンデンサＣ８が接続され、第８のコンデンサＣ８と第３のインダクタＬ３の一端との間に第３のＰＩＮダイオードＤ３が接続されている。
【００２０】
また、ハイバンド（ＵＨＦ放送帯域）とローバンド（ＶＨＦ放送帯域）を切替える切替え回路３を備えている。切替え回路３の固定端は電源４に接続され、一方の切替え端子３ａは第３のＰＩＮダイオードＤ３のアノードに接続され、他方の切替え端子３ｂは第１及び第２のＰＩＮダイオードＤ１，Ｄ２のアノードに接続されている。切替え回路３において、固定端を切替え端子３ａに接続するとハイバンドが選択され、固定端を切替え端子３ｂに接続するとローバンドが選択されるように構成している。
【００２１】
次に、以上のように構成された本実施の形態に係る帯域可変フィルタの動作及び設定されるフィルタ特性について説明する。
最初に、切替え回路３において固定端を切替え端子３ｂに接続してローバンド（ＶＨＦ放送帯域）を選択した場合について説明する。図２（ａ）はローバンド選択における第１、第２、第３のＰＩＮダイオードＤ１，Ｄ２，Ｄ３のオン／オフ状態を示している。切替え回路３を介して第１及び第２のＰＩＮダイオードＤ１，Ｄ２のアノードに電圧が印加されて、第１及び第２のＰＩＮダイオードＤ１，Ｄ２がオンする。これにより、第１、第２のインダクタＬ１，Ｌ２の一端は、第４、第５のコンデンサＣ４，Ｃ５を介してグラウンドに接続される。また、第３のＰＩＮダイオードＤ３のアノードは０Ｖとなってオフするので、第３のインダクタＬ３に対して第８のコンデンサＣ８は並列接続されなくなる。
【００２２】
図２（ｂ）は、第１、第２、第３のＰＩＮダイオードＤ１，Ｄ２，Ｄ３を図２（ａ）に示すように設定した状態の等価回路図である。第１のインダクタＬ１及び第３のインダクタＬ３と第６のコンデンサＣ６及び第４のコンデンサＣ４とからＬＣ共振回路が構成されると共に、第２のインダクタＬ２及び第３のインダクタＬ３と第７のコンデンサＣ７及び第５のコンデンサＣ５とからＬＣ共振回路が構成される。そして、２つの共振回路が第３のインダクタＬ３でＭ結合されて、トラップを有する複同調回路が構成される。
【００２３】
図３は、複同調回路を構成する各構成要素に図２（ｂ）に示す数値を設定してシミュレーションした周波数特性図である。同図に示すように、ＶＨＦ放送帯域の減衰が極めて小さく、しかもＶＨＦ放送帯域の低域側の隣接領域が３０ｄＢ程度減衰する一方、ＶＨＦ放送帯域の高域側の隣接領域が１０ｄＢ程度減衰しており、ＶＨＦ放送帯域を通過帯域とするバンドパスフィルタ特性が得られていることが判る。しかも、ＦＭ帯域にトラップが形成されており、テレビジョンチューナにおいて妨害波となるＦＭ帯域を十分に減衰させることができる。
【００２４】
次に、切替え回路３において固定端を切替え端子３ａに接続してハイバンド（ＵＨＦ放送帯域）を選択した場合について説明する。図４（ａ）はハイバンド選択時における第１、第２、第３のＰＩＮダイオードＤ１，Ｄ２，Ｄ３のオン／オフ状態を示している。切替え回路３を介して第３のＰＩＮダイオードＤ３のアノードに電圧が印加されて、第３のＰＩＮダイオードＤ３がオンする。これにより、第３のインダクタＬ３に対して第８のコンデンサＣ８が並列に接続される。また、第１、第２のＰＩＮダイオードＤ１，Ｄ２のアノードは０Ｖとなってオフするので、第１、第２のインダクタＬ１，Ｌ２に対して第４、第５のコンデンサＣ４、Ｃ８は並列接続されなくなる。
【００２５】
図４（ｂ）は、第１、第２、第３のＰＩＮダイオードＤ１，Ｄ２，Ｄ３を図４（ａ）に示すように設定した状態の等価回路図である。第１のコンデンサＣ１と第２のコンデンサＣ２との接続点が第６のコンデンサＣ６及び第１のインダクタＬ１を介してグラウンドに接続され、第２のコンデンサＣ２と第３のコンデンサＣ３との接続点が第７のコンデンサＣ７及び第２のインダクタＬ２を介してグラウンドに接続され、全体でπ型のハイパスフィルタが形成されている。
【００２６】
図５は、π型のハイパスフィルタを構成する各構成要素に図４（ｂ）に示す数値を設定してシミュレーションした周波数特性図である。同図に示すように、ＵＨＦ放送帯域及びそれ以上の帯域では減衰がほとんど無く、ＵＨＦ放送帯域の低域側の端部において３００ＭＨｚに向けて３０ｄＢ近く減衰しており、所望のハイパスフィルタ特性が得られている。また、特定小電力無線帯域（３２２ＭＨｚ）及びアナログコードレス電話親機の使用帯域（３３０ＭＨｚ）にトラップが形成されている。
【００２７】
このように本実施の形態によれば、ＶＨＦ放送帯域を通過帯域とするバンドパスフィルタと、ＵＨＦ放送帯域を通過帯域とするハイパスフィルタとを並列に設けることなく、ＶＨＦ放送帯域とＵＨＦ放送帯域を選択可能な高周波フィルタを実現することができ、部品点数の削減による小型化とコストダウンを図ることができる。また、ＶＨＦ放送帯域選択時にはＦＭ帯域及びＵＨＦ放送帯域の双方を減衰させるバンドパスフィルタと、ＵＨＦ放送帯域選択時にはＦＭ帯域及びＶＨＦ放送帯域を含む帯域を減衰させるハイパスフィルタとを、第１、第２、第３のＰＩＮダイオードＤ１，Ｄ２，Ｄ３で切替えることができ、ダイオードの部品数を削減することもできる。
【００２８】
なお、ＶＨＦ放送帯域選択時のＦＭ帯域の減衰や、ＵＨＦ放送帯域選択時の特定小電力無線帯域及びアナログコードレス電話親機の使用帯域（３２２〜３３０ＭＨｚ付近）の減衰が小さくても問題とならないのであれば、第６及び第７のコンデンサＣ６，Ｃ７を削除することも可能である。
【００２９】
図６は第６及び第７のコンデンサＣ６，Ｃ７（２４ｐＦ）を削除した帯域可変フィルタの構成図である。なお、切替え回路３の代わりに、ハイ／ローが逆になる２電源５ａ，５ｂを用いている。帯域可変フィルタを構成する各構成要素の数値は上記実施の形態と同様である。
【００３０】
図７（ａ）は図６の帯域可変フィルタで第１、第２のＰＩＮダイオードＤ１，Ｄ２をオン（電源５ｂ＝Ｈ）、第３のＰＩＮダイオードＤ３をオフ（電源５ａ＝Ｌ）として、ローバンド選択した場合の周波数特性図である。同図に示すように、ＶＨＦ放送帯域を通過帯域とするバンドパスフィルタ特性を示している。但し、ＦＭ帯域にトラップは形成されていない。
【００３１】
図７（ｂ）は図６の帯域可変フィルタで第１、第２のＰＩＮダイオードＤ１，Ｄ２をオフ（電源５ｂ＝Ｌ）、第３のＰＩＮダイオードＤ３をオン（電源５ａ＝Ｈ）としてハイバンド選択した場合の周波数特性図である。同図に示すように、ＵＨＦ放送帯域以上を通過帯域とするハイパスフィルタ特性を示している。但し、特定小電力無線帯域及びアナログコードレス電話親機の使用帯域（３２２〜３３０ＭＨｚ付近）で十分な減衰となっていない。
【００３２】
このように、第６及び第７のコンデンサＣ６，Ｃ７を削除しても、ＶＨＦ放送帯域を通過帯域とするバンドパスフィルタと、ＵＨＦ放送帯域を通過帯域とするハイパスフィルタとを並列に設けることなく、ＶＨＦ放送帯域とＵＨＦ放送帯域を選択可能な高周波フィルタを実現することができる。
【００３３】
なお、本発明は上記一実施の形態に限定されるものではなく、本発明の要旨を逸脱しない範囲で種々変形実施可能である。例えば、第１、第２、第３のスイッチは、ＰＩＮダイオードに限定されず、その他のスイッチ部品を用いることもできる。また、第１、第２、第３のＰＩＮダイオードＤ１、Ｄ２、Ｄ３と、第４、第５、第８のコンデンサＣ４，Ｃ５，Ｃ８との位置関係を逆にしても良い。
【００３４】
また、上述した周波数特性のシミュレーションンには、日本でのＶＨＦ放送帯域及びＵＨＦ放送帯域に基づいて最適化した数値を設定しているが、用途、目的に応じて適宜最適化した数値を設定することができる。また、バンドパスフィルタとハイパスフィルタとを切替える用途であれば、テレビジョンチューナの高周波フィルタ以外にも適用可能である。
【産業上の利用可能性】
【００３５】
本発明は、バンドパスフィルタとハイパスフィルタとを切替える高周波フィルタに適用可能である。
【図面の簡単な説明】
【００３６】
【図１】本発明の一実施の形態に係る帯域可変フィルタの回路構成図
【図２】（ａ）図１の帯域可変フィルタでローバンド選択時の回路構成図、（ｂ）ローバンド選択時の等価回路図
【図３】図２（ｂ）の等価回路でシミュレーションしたローバンド選択時の周波数特性図
【図４】（ａ）図１の帯域可変フィルタでハイバンド選択時の回路構成図、（ｂ）ハイバンド選択時の等価回路図
【図５】図４（ｂ）の等価回路でシミュレーションしたハイバンド選択時の周波数特性図
【図６】上記一実施の形態に係る帯域可変フィルタの変形例の回路構成図
【図７】（ａ）図６の帯域可変フィルタでローバンド選択時の周波数特性図、（ｂ）図６の帯域可変フィルタでハイバンド選択時の周波数特性図
【図８】従来の高周波フィルタの概略図
【符号の説明】
【００３７】
１…入力端子
２…出力端子
Ｃ１〜Ｃ８…第１〜第８のコンデンサ
Ｄ１〜Ｄ３…第１〜第３のＰＩＮダイオード
Ｌ１、Ｌ２…第１、第２のインダクタ
３…切替え回路
４…電源
【図１】
2008227729.tif 000003
【図２】
2008227729.tif 000004
【図３】
2008227729.tif 000005
【図４】
2008227729.tif 000006
【図５】
2008227729.tif 000007
【図６】
2008227729.tif 000008
【図７】
2008227729.tif 000009
【図８】
2008227729.tif 000010